(57)【要約】【課題】チューブ１０とプランジャー２２の接触導通がより安定して維持され得るプローブを提供する。【解決手段】チューブ１０の内周面を断面円形とし、後端面２２ｃを軸方向に対して斜めとしてプランジャー２２に軸方向と交叉する方向のバイアス力を加え、プランジャー２２の摺接部２２ｂの外周面のチューブ１０の内周面にバイアス力で当接する側に、平面２２ｄを形成して断面を一部が切り欠かれた円形とする。すると、チューブ１０の内周面にプランジャー２２の摺接部２２ｃの平面２２ｄの両側の縁の２箇所Ｐ１、Ｐ２で当接し、一方の当接すべき箇所に異物が噛み込まれて接触が断たれても、他方の当接すべき箇所は接触が保たれる。そこで、この２つの当接箇所により、安定した電気的導通が得られる。【選択図】  図１
2006164660.tif 000002
【特許請求の範囲】
【請求項１】
導電性で略円筒状のチューブ内に導電性のプランジャーが軸方向に移動自在でしかも突出方向に抜け出ないように配設されるとともにスプリングにより突出方向に弾性付勢されたプローブにおいて、前記チューブの内周面または前記プランジャーの外周面の少なくともいずれか一方を断面円形以外の形状として、前記プランジャーの外周面の２箇所以上で前記チューブの内周面に当接するように構成したことを特徴とするプローブ。
【請求項２】
請求項１記載のプローブにおいて、前記チューブの内周面または前記プランジャーの外周面の一方を断面円形とし、他方を断面多角形に構成したことを特徴とするプローブ。
【請求項３】
請求項１記載のプローブにおいて、前記チューブの内周面または前記プランジャーの外周面の一方を断面円形または断面多角形とし、他方に前記軸方向の突条を複数配設して構成したことを特徴とするプローブ。
【請求項４】
請求項１記載のプローブにおいて、前記スプリングが弾接する前記プランジャーの後端面を前記軸方向に対して斜めとして前記プランジャーに前記軸方向と交叉する方向のバイアス力を加え、前記プランジャーの外周面で前記チューブの内周面に前記バイアス力で当接する側に、平面を形成して断面を一部が切り欠かれた円形としまたは前記軸方向の突条を設けて構成したことを特徴とするプローブ。
【発明の詳細な説明】
【技術分野】
【０００１】
本発明は、電気的導通が安定するようにしたプローブに関するものである。
【背景技術】
【０００２】
従来のプローブの構造の一例を図９を参照して説明する。図９は、従来のプローブの構造の一例を示し、（ａ）は要部縦断面図、（ｂ）は（ａ）のＡ−Ａ断面矢視図である。図９において、導電性で円筒状のチュ−ブ１０内に導電性で断面円形のプランジャー１２が軸方向に移動自在に配設される。チューブ１０の一端に狭搾部１０ａが形成される。また、プランジャー１２の先端側は細径の突出部１２ａが形成され、後端側は太径の摺接部１２ｂが形成される。そして、狭搾部１０ａは突出部１２ａは挿通させるが摺接部１２ｂは挿通させない寸法に設定されており、プランジャー１２は突出方向に抜け出ないように規制されている。さらに、プランジャー１２の後端面１２ｃは軸方向に対して斜めに形成され、この後端面１２ｃにチューブ１０内に縮設されたスプリング１４が弾接している。この従来のプローブの構造の一例が特開２０００−２４３５００号公報に示されている。
【特許文献１】特開２０００−２４３５００号公報
【０００３】
かかる構成の従来のプローブにおいて、スプリング１４の弾力によりプランジャー１２が突出方向に弾性付勢され、しかもプランジャー１２の斜めに形成された後端面１２ｃにより、軸方向と交叉する方向のバイアス力が作用し、摺接部１２ｂの外周面がチューブ１０の内周面に弾接され、もってプランジャー１２がチュ−ブ１０に接触して電気的な導通が得られる。
【発明の開示】
【発明が解決しようとする課題】
【０００４】
上述の図９に示す従来のプローブにあっては、チューブ１０の内周面は断面円形であり、またプランジャー１２の外周面も若干径が小さな断面円形である。そこで、図９（ｂ）に示すごとく、プランジャー１２とチューブ１０が接触するところは、Ｐの一箇所である。このために、この接触すべき１つの箇所に異物等が噛み込むとチュ−ブ１０とプランジャー１２が接触せず、電気的導通が遮断される虞があった。
【０００５】
本発明は、上述のごとき従来のプローブの不具合に鑑みてなされたもので、チューブとプランジャーの接触導通がより安定して維持され得るプローブを提供することを目的とする。
【課題を解決するための手段】
【０００６】
かかる目的を達成するために、本発明のプローブは、導電性で略円筒状のチューブ内に導電性のプランジャーが軸方向に移動自在でしかも突出方向に抜け出ないように配設されるとともにスプリングにより突出方向に弾性付勢されたプローブにおいて、前記チューブの内周面または前記プランジャーの外周面の少なくともいずれか一方を断面円形以外の形状として、前記プランジャーの外周面の２箇所以上で前記チューブの内周面に当接するように構成されている。
【０００７】
また、前記チューブの内周面または前記プランジャーの外周面の一方を断面円形とし、他方を断面多角形に構成しても良い。
【０００８】
そして、前記チューブの内周面または前記プランジャーの外周面の一方を断面円形または断面多角形とし、他方に前記軸方向の突条を複数配設して構成することもできる。
【０００９】
さらに、前記スプリングが弾接する前記プランジャーの後端面を前記軸方向に対して斜めとして前記プランジャーに前記軸方向と交叉する方向のバイアス力を加え、前記プランジャーの外周面で前記チューブの内周面に前記バイアス力で当接する側に、平面を形成して断面を一部が切り欠かれた円形としまたは前記軸方向の突条を設けて構成することも可能である。
【発明の効果】
【００１０】
請求項１記載のプローブにあっては、チューブの内周面またはプランジャーの外周面の少なくともいずれか一方を断面円形以外の形状としたので、プランジャーの外周面の２箇所以上がチューブの内周面に当接する。そこで、当接すべき１つの箇所に異物等が噛み込んで電気的な導通が遮断されても、他の当接すべき箇所は接触が維持されて電気的な導通がなされる。そこで、チューブとプランジャーの安定した電気的導通が得られる。
【００１１】
請求項２記載のプローブにあっては、チューブの内周面またはプランジャーの外周面の一方を断面円形とし、他方を断面多角形としたので、チューブの内周面とプランジャーの外周面は多角形の２つの角または面で当接され、安定した電気的導通が得られる。
【００１２】
請求項３記載のプローブにあっては、チューブの内周面またはプランジャーの外周面の一方に軸方向の突条を設けたので、チューブとプランジャーは２つの突条または１つの突条を含む２つの箇所で当接し、安定した電気的導通が得られる。
【００１３】
請求項４記載のプローブにあっては、プランジャーはバイアス力が作用しチューブの内周面に当接する側が特定される。そこで、プランジャーの外周面の当接する側に、平面を形成して断面が一部が切り欠かれた円形としまたは軸方向の突条を形成することで、チューブの内周面にプランジャーの外周面が２つの箇所で当接し、安定した電気的導通が得られる。
【発明を実施するための最良の形態】
【００１４】
以下、本発明の第１実施例を図１を参照して説明する。図１は、本発明のプローブの第１実施例を示し、（ａ）は要部縦断面図、（ｂ）は（ａ）のＢ−Ｂ断面矢視図である。図１において、図９と同じまたは均等な部材には同じ符号を付けて重複する説明を省略する。
【００１５】
図１において、チューブ１０は図９に示す従来例と同様である。そして、プランジャー２２は、先端側は断面円形で細径の突出部２２ａが形成され、後端側は太径の摺接部２２ｂが形成され、後端面２２ｃは軸方向に対して斜めに形成されている。そして、第１実施例にあっては、斜めの後端面２２ｃによりバイアス力が加わりチューブ１０の内周面に当接しようとする側に、平面２２ｄが形成されてその断面が一部が切り欠かれた円形とされている。そこで、図１（ｂ）に示すごとく、平面２２ｄの両側の縁の２箇所Ｐ１、Ｐ２でチューブ１０の内周面に当接する。この２箇所で当接することによって、いずれか一方の当接箇所で異物等が噛み込まれて接触が断たれても、他方の当接箇所により接触が継続され、電気的導通が維持され得る。
【００１６】
次に、本発明の第２実施例を図２を参照して説明する。図２は、本発明のプローブの第２実施例を示し、（ａ）は要部縦断面図、（ｂ）は（ａ）のＣ−Ｃ断面矢視図である。図２において、チューブ１０は図９に示す従来例と同様である。そして、プランジャー３２は、先端側は断面円形で細径の突出部３２ａが形成され、後端側は太径の摺接部３２ｂが形成され、後端面３２ｃは軸方向に対して斜めに形成されている。そして、第２実施例にあっては、プランジャー３２の摺接部３２ｂの外周面のバイアス力によりチューブ１０の内周面に当接しようとする側に、軸方向に２本の突条３２ｄ、３２ｄが形成されている。そこで、図２（ｂ）に示すごとく、突条３２ｄ、３２ｄの頂部の２箇所Ｐ１、Ｐ２でチューブ１０の内周面に当接する。すると、この２箇所Ｐ１、Ｐ２のいずれか一方の当接箇所で異物等が噛み込まれて接触が断たれても、他方の当接箇所により接触が継続され、電気的導通が維持される。なお、第２実施例では、２本の突条３２ｄ、３２ｄを設けたが、３本以上設けられても良く、また１本であっても良い。突条３２ｄが１本だけ設けられた場合には、突条３２ｄと突条３２ｄ以外のプランジャー３２の摺接部３２ｂの外周面がチューブ１０の内周面に当接して、同様に２箇所の当接が得られて安定した電気的導通が得られる。
【００１７】
さらに、本発明の第３実施例を図３を参照して説明する。図３は、本発明のプローブの第３実施例を示し、（ａ）は要部縦断面図、（ｂ）は（ａ）のＤ−Ｄ断面矢視図である。図３において、チューブ１０は図９に示す従来例と同様である。そして、プランジャー４２は、先端側は断面円形で細径の突出部４２ａが形成され、後端側の太径の摺接部４２ｂは断面１０角形に形成され、後端面４２ｃは軸方向と直交して形成されている。後端面４２ｃが軸方向と直交して形成されると、プランジャー４２にはチューブ１０の内周面に当接させようとするバイアス力は作用しないが、プローブ自体の外径が極めて細い場合などではチューブ１０が弾性変形して若干湾曲する等のために、チューブ１０とプランジャー４２は接触が得られる実状にある。しかし、プランジャー４２の周方向でいずれの側がチューブ１０に当接するか特定されない。そこで、プランジャー４２の摺接部４２ｂを断面多角形とすることで、例えば図３（ｂ）に示すように、多角形の２つの角の２箇所Ｐ１、Ｐ２でチューブ１０の内周面に当接する。なお、接触する箇所は多角形のいずれかの角に特定されるものでない。
【００１８】
そして、本発明の第４実施例を図４を参照して説明する。図４は、本発明のプローブの第４実施例を示し、（ａ）は要部縦断面図、（ｂ）は（ａ）のＥ−Ｅ断面矢視図である。図４において、チューブ２０はその内周面が断面８角形に形成される。そして、プランジャー５２は、先端側は断面円形で細径の突出部５２ａが形成され、後端側は断面円形で太径の摺接部５２ｂが形成され、後端面５２ｃは軸方向と直交して形成されている。第４実施例にあっても、プランジャー５２は断面円形の摺接部５２ｂの外周面が、チューブ２０の内周面の多角形の２つの面に当接して安定した姿勢となって２箇所Ｐ１、Ｐ２の接触が得られ、安定した電気的導通が得られる。
【００１９】
また、本発明の第５実施例を図５を参照して説明する。図５は、本発明のプローブの第５実施例を示し、（ａ）は要部縦断面図、（ｂ）は（ａ）のＦ−Ｆ断面矢視図である。図５において、チューブ３０はその内周面に軸方向に複数の突条３０ａ、３０ａ…が設けられている。そして、プランジャー１２は、図９に示す従来例と同様である。そこで、プランジャー１２のバイアス力が作用して当接する側が、チューブ３０の２本の突条３０ａ、３０ａの頂部に当接し、例えば図５（ｂ）に示すごとく、２箇所Ｐ１、Ｐ２で接触導通がなされる。
【００２０】
そしてまた、本発明の第６実施例を図６を参照して説明する。図６は、本発明のプローブの第６実施例を示し、（ａ）は要部縦断面図、（ｂ）は（ａ）のＧ−Ｇ断面矢視図である。図６において、チューブ３０は、図５に示すものと同様であり、その内周面に複数の突条３０ａ、３０ａ…が設けられている。そして、プランジャー４２は、図３に示すものと同様であり、摺接部４２ｂが断面１０角形とされている。そこで、チューブ３０の突条３０ａ、３０ａ…の頂部がプランジャー４２の摺接部４２ｂの外周面に当接し、またはプランジャー４２の摺接部４２ｂの断面多角形の角がチューブ３０の内周面に当接する。図６（ｂ）では、チューブ３０の２本の突条３０ａ、３０ａの頂部がプランジャー４２の摺接部４２ｂの多角形の２つの面の２箇所Ｐ１、Ｐ２に当接した状態が示されているが、突条３０ａの突出量を適宜に設定するならば、チューブ３０の突条３０ａ、３０ａとプランジャー４２の摺接部４２ｂの多角形の角がほぼ同様に他方に当接するようにもなし得る。
【００２１】
そしてさらに、本発明の第７実施例を図７を参照して説明する。図７は、本発明のプローブの第７実施例を示し、（ａ）は要部縦断面図、（ｂ）は（ａ）のＨ−Ｈ断面矢視図である。図７において、チューブ１０は図９に示す従来例と同様である。そして、プランジャー６２は、先端側は断面円形で細径の突出部６２ａが形成され、後端側の太径の摺接部６２ｂは断面円形の外周面に軸方向に複数の突条６２ｄ、６２ｄ…が形成され、後端面６２ｃは軸方向に対して斜めに形成されている。第７実施例にあっても、プランジャー６２の摺接部６２ｂの複数の突条６２ｄ、６２ｄがチューブ１０の内周面に当接し、２箇所Ｐ１、Ｐ２で接触導通が得られる。
【００２２】
さらにまた、本発明の第８実施例を図８を参照して説明する。図８は、本発明のプローブの第８実施例を示し、（ａ）は要部縦断面図、（ｂ）は（ａ）のＩ−Ｉ断面矢視図である。図８において、チューブ２０は図４に示すものと同様であり、その内周面が断面８角形とされている。そして、プランジャー７２は、先端側は断面円形で細径の突出部７２ａが形成され、後端側の太径の摺接部７２ｂは断面円形の外周面に軸方向に複数の突条７２ｄ、７２ｄ…が形成されることは図７に示すものと同様である。後端面７２ｃが軸方向と直交して形成されたことが相違する。第８実施例にあっても、プランジャー７２の複数の突条７２ｄ、７２ｄがチューブ２０の内周面に当接し、２箇所またはそれ以上の数の箇所で接触導通が得れる。
【００２３】
上記実施例において、チューブ１０、２０、３０の内周面に形成される断面円形と断面多角形および軸方向の突条が設けられたいずれの形状にあっても、伸管によるパイプ作成工程においてパイプ内を通す冶具（芯金）を所望の形状とすることで、容易に形成することができる。また、プランジャー１２、２２、３２、４２、５２、６２、７２の摺接部１２ｂ、２２ｂ、３２ｂ、４２ｂ、５２ｂ、６２ｂ、７２ｂの外周面に形成される断面円形と断面多角形および軸方向の突条が設けられたいずれの形状にあっても、鍛造により容易に制作することができる。
【００２４】
なお、第３実施例と第４実施例と第６実施例および第８実施例では、プランジャーの後端面が軸方向と直交して形成されているが、軸方向に対して斜めに形成されてバイアス力が加わるようにしても良い。また、第５実施例および第７実施例ではプランジャーの後端面が軸方向に対して斜めに形成されているが、軸方向に直交するように形成されても良い。プランジャーの後端面が軸方向と直交して形成されるプローブにあっては、チューブの外径が０．１ｍｍ程度の細いものまで実現されている。また、プランジャーの後端面が軸方向に対して斜めに形成されてバイアス力が加わるようにしたプローブにあっては、チューブの外径が０．４ｍｍ程度の細いものまで実現されている。そして、プランジャーの外周面とチューブの内周面の断面多角形の形状は適宜に設定すれば良く、上記実施例に限られるものでない。また、チューブの内周面またはプランジャーの外周面に設けられた軸方向の突条の本数も適宜に設定すれば良いことは勿論である。
【図面の簡単な説明】
【００２５】
【図１】本発明のプローブの第１実施例を示し、（ａ）は要部縦断面図、（ｂ）は（ａ）のＢ−Ｂ断面矢視図である。
【図２】本発明のプローブの第２実施例を示し、（ａ）は要部縦断面図、（ｂ）は（ａ）のＣ−Ｃ断面矢視図である。
【図３】本発明のプローブの第３実施例を示し、（ａ）は要部縦断面図、（ｂ）は（ａ）のＤ−Ｄ断面矢視図である。
【図４】本発明のプローブの第４実施例を示し、（ａ）は要部縦断面図、（ｂ）は（ａ）のＥ−Ｅ断面矢視図である。
【図５】本発明のプローブの第５実施例を示し、（ａ）は要部縦断面図、（ｂ）は（ａ）のＦ−Ｆ断面矢視図である。
【図６】本発明のプローブの第６実施例を示し、（ａ）は要部縦断面図、（ｂ）は（ａ）のＧ−Ｇ断面矢視図である。
【図７】本発明のプローブの第７実施例を示し、（ａ）は要部縦断面図、（ｂ）は（ａ）のＨ−Ｈ断面矢視図である。
【図８】本発明のプローブの第８実施例を示し、（ａ）は要部縦断面図、（ｂ）は（ａ）のＩ−Ｉ断面矢視図である。
【図９】従来のプローブの構造の一例を示し、（ａ）は要部縦断面図、（ｂ）は（ａ）のＡ−Ａ断面矢視図である。
【符号の説明】
【００２６】
１０、２０、３０  チューブ
１２、２２、３２、４２、５２、６２、７２  プランジャー
１２ａ、２２ａ、３２ａ、４２ａ、５２ａ、６２ａ、７２ａ  突出部
１２ｂ、２２ｂ、３２ｂ、４２ｂ、５２ｂ、６２ｂ、７２ｂ  摺接部
１２ｃ、２２ｃ、３２ｃ、４２ｃ、５２ｃ、６２ｃ、７２ｃ  後端面
１４  スプリング
２２ｄ  平面
３０ａ、３２ｄ、６２ｄ、７２ｄ  突条
【図１】
2006164660.tif 000003
【図２】
2006164660.tif 000004
【図３】
2006164660.tif 000005
【図４】
2006164660.tif 000006
【図５】
2006164660.tif 000007
【図６】
2006164660.tif 000008
【図７】
2006164660.tif 000009
【図８】
2006164660.tif 000010
【図９】
2006164660.tif 000011